(57)【要約】【課題】環境光の照度を適切に取得できる画像表示装置、照度取得方法、照度取得プログラム及び記録媒体を提供すること。【解決手段】入力される画像情報に応じた画像を表示する画像表示装置（プロジェクタ）１であって、画像を表示する表示手段６と、画像が表示される領域の照度を検出する検出手段２１と、画像情報を構成するフレームの平均輝度レベルを取得する輝度取得手段（ＡＰＬ取得部）７８と、当該平均輝度レベル、及び、検出手段２１により検出された照度に基づいて、表示手段６により画像が表示されていない場合の照度を演算して、当該照度を環境光の照度として取得する取得手段（照度取得部８０）と、を備える。これによれば、環境光の照度の取得に際して、表示される画像の光の影響を低減できるほか、当該画像情報に応じた画像の表示を中断せずに環境光の照度を取得することができるので、画像表示装置の利便性を向上できる。【選択図】図２
2010113009.tif 000002
【特許請求の範囲】
【請求項１】
入力される画像情報に応じた画像を表示する画像表示装置であって、
前記画像を表示する表示手段と、
前記画像が表示される領域の照度を検出する検出手段と、
前記画像情報を構成するフレームの平均輝度レベルを取得する輝度取得手段と、
前記平均輝度レベルと、前記検出手段により検出された照度とに基づいて、前記表示手段により前記画像が表示されていない場合の照度を演算して、当該照度を環境光の照度として取得する取得手段と、
を備えることを特徴とする画像表示装置。
【請求項２】
請求項１に記載の画像表示装置において、
前記表示手段は、所定の投射面に前記画像を投射する投射光学装置を備え、
前記検出手段は、前記平均輝度レベルが取得された前記画像が投射された際の前記投射面の照度を検出することを特徴とする画像表示装置。
【請求項３】
請求項１又は請求項２に記載の画像表示装置において、
前記平均輝度レベルが所定のレベルより低いか否かを判定する判定手段を備え、
前記取得手段は、前記判定手段により前記平均輝度レベルが低いと判定された際に、前記環境光の照度を演算して取得することを特徴とする画像表示装置。
【請求項４】
請求項１から請求項３のいずれかに記載の画像表示装置において、
前記取得手段は、前記輝度取得手段により取得された複数の前記フレームの前記各平均輝度レベル、及び、当該複数のフレームがそれぞれ表示された際の前記照度に基づいて、前記環境光の照度を演算して取得することを特徴とする画像表示装置。
【請求項５】
請求項１から請求項４のいずれかに記載の画像表示装置において、
前記取得手段により取得された前記環境光の照度に基づいて、前記画像の画質を調整する画質調整手段を備えることを特徴とする画像表示装置。
【請求項６】
入力される画像情報に応じた画像を表示する画像表示装置を用いて行われ、当該画像を表示する際に参照される環境光の照度を取得する照度取得方法であって、
前記画像を所定の表示領域に表示する表示手順と、
前記画像情報を構成するフレームの平均輝度レベルを取得する輝度取得手順と、
前記平均輝度レベル、及び、当該平均輝度レベルに対応する前記フレームが表示された際に検出された前記所定の表示領域の照度に基づいて、前記画像が表示されていない場合の照度を演算して、当該照度を環境光の照度として取得する照度取得手順と、
を有することを特徴とする照度取得方法。
【請求項７】
入力される画像情報に応じた画像を表示する画像表示装置により実行され、当該画像を表示する際に参照される環境光の照度を取得する照度取得プログラムであって、
前記画像を所定の表示領域に表示する表示ステップと、
前記画像情報を構成するフレームの平均輝度レベルを取得する輝度取得ステップと、
前記平均輝度レベル、及び、当該平均輝度レベルに対応する前記フレームが表示された際に検出された前記所定の表示領域の照度に基づいて、前記画像が表示されていない場合の照度を演算して、当該照度を環境光の照度として取得する照度取得ステップと、
を実行させることを特徴とする照度取得プログラム。
【請求項８】
請求項７に記載の照度取得プログラムをコンピュータ読取可能に記録したことを特徴とする記録媒体。
【発明の詳細な説明】
【技術分野】
【０００１】
本発明は、画像表示装置、環境光の照度を取得する照度取得方法、照度取得プログラム及び記録媒体に関する。
【背景技術】
【０００２】
従来、入力される画像情報に応じた画像を表示する画像表示装置が知られている。このような画像表示装置として、各種ディスプレイを挙げることができるほか、光源装置と、当該光源装置から射出された光束を画像情報に応じて変調して画像光を形成する光変調装置と、当該画像光をスクリーン等の投射面上に拡大投射する投射光学装置とを備えるプロジェクタを挙げることができる。
【０００３】
近年、環境光の色（屋内を照明する照明装置の色等）及び照度を取得して、画像の視認性の向上及び省エネルギー化を図る画像表示装置が知られている。このような画像表示装置では、環境光の色に応じて、表示画像の色を補正することにより、当該表示画像の視認性を向上する。また、当該画像表示装置では、環境光の照度が高い場合（周囲が明るい場合）には、表示画像の輝度を上げることで表示画像の視認性を向上し、環境光の照度が低い場合（周囲が暗い場合）には、表示画像の輝度を下げることで省エネルギー化を図る。
【０００４】
ところで、フロントタイプ（前面投射型）のプロジェクタにおいては、当該プロジェクタと投射面とが離れている場合が多いため、環境光の照度を検出する場合、プロジェクタ周囲の光を検出するより、投射面周囲の光を検出する方が視環境に適している。このため、筐体の前面、すなわち、筐体における投射光学装置が露出する面に、色光センサを設けたプロジェクタが提案されている（例えば、特許文献１参照）。
この特許文献１に記載のプロジェクタでは、色光センサにより取得された環境情報（ＲＧＢ又はＸＹＺの三刺激値）に基づいて、ガンマ補正による補正量を調整するなどして、環境に表示色及び明るさが適合した表示画像を表示する。
【０００５】
【特許文献１】特開２００３−２８０６２９号公報
【発明の開示】
【発明が解決しようとする課題】
【０００６】
しかしながら、特許文献１に記載のプロジェクタでは、入力された画像情報に応じた画像光の投射中に色光センサにより、前述の環境情報を取得しようとすると、当該画像光の影響を受けてしまい、適切な環境情報を取得することができないという問題がある。特に、画像光の輝度が頻繁に変動する動画の表示時には、この問題が顕著になってしまう。一方、画像光を投射せずに環境光の照度を取得しようとすると、プロジェクタによる画像表示が行われないこととなり、当該プロジェクタの利便性が低下するという問題がある。また、前述の各種ディスプレイにおいても、当該ディスプレイが配置された空間内の物体に、表示された画像の光が反射するなどして検出されてしまうため、適切に環境光の照度を取得することができないという問題がある。このため、より適切に環境光の照度を取得することができる構成が要望されてきた。
【０００７】
本発明の目的は、環境光の照度を適切に取得することができる画像表示装置、照度取得方法、照度取得プログラム及び記録媒体を提供することである。
【課題を解決するための手段】
【０００８】
前記した目的を達成するために、本発明の画像表示装置は、入力される画像情報に応じた画像を表示する画像表示装置であって、前記画像を表示する表示手段と、前記画像が表示される領域の照度を検出する検出手段と、前記画像情報を構成するフレームの平均輝度レベルを取得する輝度取得手段と、前記平均輝度レベルと、前記検出手段により検出された照度とに基づいて、前記表示手段により前記画像が表示されていない場合の照度を演算して、当該照度を環境光の照度として取得する取得手段と、を備えることを特徴とする。
【０００９】
本発明によれば、取得手段が、輝度取得手段により取得された平均輝度レベル、及び、検出手段により検出された照度に基づいて、画像表示が行われていない場合の照度を演算して、当該照度を環境光の照度として取得する。これによれば、実際に検出手段により検出された照度を環境光の照度として取得する場合に比べ、表示手段により表示される画像の光の影響を低減することができ、実際の環境光の照度と略一致する照度を取得することができる。また、表示される画像が変更されたり、或いは、当該画像の表示が中断されたりすることがないので、所望の画像を表示したまま環境光の照度を取得することができる。従って、環境光をより適切に取得することができるほか、画像表示装置の利便性を向上できる。
【００１０】
本発明では、前記表示手段は、所定の投射面に前記画像を投射する投射光学装置を備え、前記検出手段は、前記平均輝度レベルが取得された前記画像が投射された際の前記投射面の照度を検出することが好ましい。
本発明によれば、検出手段が、投射光学装置により光束が投射される投射面の照度を検出するので、画像表示装置の位置と、当該投射面の位置とが離れていても、投射面に照射される環境光の照度を検出することができる。従って、画像の視認性に影響する環境光の照度を、視環境に応じて適切に取得することができる。
【００１１】
本発明では、前記平均輝度レベルが所定のレベルより低いか否かを判定する判定手段を備え、前記取得手段は、前記判定手段により前記平均輝度レベルが低いと判定された際に、前記環境光の照度を演算して取得することが好ましい。
本発明によれば、判定手段により、平均輝度レベルが所定のレベルより低いと判定されたフレームが表示された際の照度に基づいて、取得手段が、環境光の照度を演算して取得することにより、検出手段により検出される照度において、表示手段により表示される画像の光の影響をより低減することができる。従って、取得手段の演算により取得される環境光の照度の精度及び信頼性を向上することができる。
【００１２】
本発明では、前記取得手段は、前記輝度取得手段により取得された複数の前記フレームの前記各平均輝度レベル、及び、当該複数のフレームがそれぞれ表示された際の前記照度に基づいて、前記環境光の照度を演算して取得することが好ましい。
本発明によれば、各平均輝度レベル及び各照度に基づいて、取得手段により環境光の照度が演算されて取得されるので、例えば、これら各平均輝度レベルと各照度とが対応する近似曲線を生成することにより、平均輝度レベルが０である場合の照度、すなわち、環境光の照度をより正確に取得することができる。従って、より適切に環境光の照度を取得することができる。
【００１３】
本発明では、前記取得手段により取得された前記環境光の照度に基づいて、前記画像の画質を調整する画質調整手段を備えることが好ましい。
本発明によれば、取得された環境光の照度に基づいて、画質調整手段が表示される画像の画質調整を行うことにより、視環境に応じた画像表示を行うことができる。従って、より視認しやすい画像を表示することができる。
【００１４】
また、本発明の照度取得方法は、入力される画像情報に応じた画像を表示する画像表示装置を用いて行われ、当該画像を表示する際に参照される環境光の照度を取得する照度取得方法であって、前記画像を所定の表示領域に表示する表示手順と、前記画像情報を構成するフレームの平均輝度レベルを取得する輝度取得手順と、前記平均輝度レベル、及び、当該平均輝度レベルに対応する前記フレームが表示された際に検出された前記所定の表示領域の照度に基づいて、前記画像が表示されていない場合の照度を演算して、当該照度を環境光の照度として取得する照度取得手順と、を有することを特徴とする。
本発明によれば、前述の画像表示装置と同様の効果を奏することができる。
【００１５】
また、本発明の照度取得プログラムは、入力される画像情報に応じた画像を表示する画像表示装置により実行され、当該画像を表示する際に参照される環境光の照度を取得する照度取得プログラムであって、前記画像を所定の表示領域に表示する表示ステップと、前記画像情報を構成するフレームの平均輝度レベルを取得する輝度取得ステップと、前記平均輝度レベル、及び、当該平均輝度レベルに対応する前記フレームが表示された際に検出された前記所定の表示領域の照度に基づいて、前記画像が表示されていない場合の照度を演算して、当該照度を環境光の照度として取得する照度取得ステップと、を実行させることを特徴とする。
本発明によれば、当該照度取得プログラムを画像表示装置にて実行することにより、前述の画像表示装置及び照度取得方法と同様の効果を奏することができる。
【００１６】
また、本発明の記録媒体は、前述の照度取得プログラムをコンピュータ読取可能に記録したことを特徴とする。
本発明によれば、記録媒体にコンピュータ読取可能に記録された照度取得プログラムを画像表示装置が読み取って実行することで、前述の画像表示装置と同様の効果を奏することが可能となる。また、記録媒体として、ＤＡＴ（Digital Audio Tape）等の磁気テープ、ＦＤ（Flexible Disc）等の磁気ディスク、ＣＤ（Compact Disc）及びＤＶＤ（Digital Versatile Disc）等の光ディスク、光磁気ディスク、ハードディスク装置、並びに、半導体メモリ等を用いることができ、これらを利用して、照度取得プログラムを画像表示装置にてインストール及び実行することができるほか、当該照度取得プログラムの配布を容易に行うことができる。
【発明を実施するための最良の形態】
【００１７】
以下、本発明の一実施形態を図面に基づいて説明する。
〔プロジェクタの構成〕
図１は、本実施形態に係るプロジェクタ１を示す概要斜視図である。
プロジェクタ１は、例えば、ＰＣ（Personal Computer）やディスク型記録媒体の再生装置等の画像出力装置（図示省略）と接続され、当該画像出力装置から入力される画像情報に応じた画像を、スクリーンＳＣ上に表示する本発明の画像表示装置である。このプロジェクタ１は、図１に示すように、全体略直方体状を有する筐体２と、当該筐体２内に収納される装置本体３（図２参照）とを備えている。
【００１８】
筐体２は、合成樹脂により形成され、当該筐体２の前面には、詳しい図示を省略したが、後述する表示手段６の投射光学装置６３（図２参照）が露出する開口が形成されている。また、この筐体２には、当該投射光学装置６３による画像光の投射方向を向くように、検出手段２１が設けられている。この検出手段２１は、投射光学装置６３によるスクリーンＳＣ上の画像投射範囲を検出範囲とし、当該検出範囲内の照度及び色度（ＲＧＢの輝度値又はＸＹＺの三刺激値）を取得するセンサにより構成されている。そして、当該検出手段２１は、これら検出結果を、後述する制御手段７（図２参照）に出力する。
【００１９】
〔装置本体の構成〕
図２は、プロジェクタ１の構成を示すブロック図である。
装置本体３は、受信手段４、映像入力手段５、表示手段６と、制御手段７とを備えて構成されている。また、装置本体３は、図示を省略したが、当該装置本体３の構成を冷却する冷却手段、及び、装置本体３に電力を供給する電力供給手段を備えている。
【００２０】
受信手段４は、前述の画像出力装置（図示省略）から送信される画像情報としてのパケットを受信し、当該パケットを制御手段７に出力する。このような受信手段４は、例えば、ＵＳＢ（Universal Serial Bus）モジュールや、有線及び無線のＬＡＮ（Local Area Network）モジュールで構成することもできる。
映像入力手段５は、例えば、ＤＶＤ（Digital Versatile Disc）プレイヤ等の他の画像出力装置（図示省略）と接続され、入力される画像信号を、制御手段７に出力する。このような映像入力手段５は、ビデオ端子（コンポジットビデオ端子及びコンポーネントビデオ端子）の他、Ｄ−Ｓｕｂ（D-Subminiature）端子や、ＤＶＩ（Digital Visual Interface）端子等により構成することができる。
【００２１】
〔表示手段の構成〕
表示手段６は、制御手段７から画像信号として入力される駆動信号に応じた画像光を形成及び投射して、スクリーンＳＣ上に画像を表示する。この表示手段６は、光源装置６１、光変調装置６２及び投射光学装置６３を備えている。
光源装置６１は、高圧水銀ランプ等の光源ランプ及び反射鏡であるリフレクタ、或いはＬＥＤ等の固体光源を備え、光変調装置６２に光束を照射する。
【００２２】
光変調装置６２は、図示を省略するが、光源装置６１から射出された光束を変調して画像光を形成する液晶パネルと、入力される駆動信号に応じて液晶パネルを駆動するドライバとを備えて構成されている。なお、光変調装置６２は、液晶パネルを備える構成に限定されるものではなく、例えば、マイクロミラーを用いたデバイス等、液晶以外の構成を採用してもよい。
投射光学装置６３は、光変調装置６２により形成された画像光を投射面上に拡大投射するものであり、鏡筒と、当該鏡筒内に収納される複数のレンズとを備えた組レンズとして構成されている。
【００２３】
〔制御手段の構成〕
制御手段７は、ＣＰＵ（Central Processing Unit）等が実装された回路基板として構成され、プロジェクタ１全体を制御する。例えば、制御手段７は、受信手段４及び映像入力手段５により取得されたパケット及び画像信号に基づく画像（以下、「入力画像」という場合がある）を、表示手段６により表示させるほか、検出手段２１により検出された環境光Ｅ（図１参照）の照度及びスクリーンＳＣの色度に基づいて、当該入力画像を補正する。このような制御手段７は、主制御部７１、パケット解析部７２、映像復調部７３、フレームメモリ７４、色画像生成部７５、駆動制御部７６、色度取得部７７、ＡＰＬ取得部７８、レベル判定部７９、照度取得部８０、画質調整部８１及び記憶部８２を備える。
【００２４】
記憶部８２は、制御手段７の機能に必要な各種プログラム及びデータを記憶するメモリである。このようなプログラムとして、記憶部８２は、後述する画像調整処理を実行するための画質調整プログラムを記憶している。この画質調整プログラムには、本発明の照度取得プログラムが含まれている。
また、記憶部８２は、後述する駆動制御部７６及び画質調整部８１により参照される複数のカラーモードを記憶している。これらカラーモードには、検出手段２１により検出された環境光の照度に応じて、光源装置６１の発光光量、及び、表示画像の画質（ガンマ補正の補正量（ガンマ値）、シャープネス、コントラスト等）を調整するための設定情報が設定されている。また、当該記憶部８２は、検出手段２１により検出された色度に応じて、表示画像の色合いを調整するための色合い情報を記憶している。
【００２５】
主制御部７１は、制御手段７全体、ひいては、プロジェクタ１全体を制御する。この主制御部７１は、各機能部７２〜８１に制御信号を出力して、これら各機能部７２〜８１が適切な時期に適切な動作をするように制御する。例えば、主制御部７１は、パケット解析部７２、映像復調部７３及び色画像生成部７５に、画像データを書き込むフレームメモリ７４のアドレスを指定するほか、駆動制御部７６に画像データを読み込むフレームメモリ７４のアドレスを指定する。
【００２６】
パケット解析部７２は、受信手段４により受信されたパケットからヘッダ部及びデータ部を抽出し、当該ヘッダ部に含まれるヘッダ情報に基づいて、データ部に含まれるデータを再構築して、入力画像の各フレームをフレームメモリ７４上に生成する。
映像復調部７３は、映像入力手段５により取得された画像信号を復調し、フレームごとに入力画像をフレームメモリ７４上に生成する。
フレームメモリ７４は、複数フレーム分の画像（画像データ）を記憶可能に構成されている。このようなフレームメモリ７４に対して、パケット解析部７２、映像復調部７３及び色画像生成部７５により画像の書き込みが行われ、また、駆動制御部７６により画像の読み出しが行われる。更に、当該フレームメモリ７４は、画質調整部８１により参照され、当該フレームメモリ７４に記憶された画像の補正が行われる。
【００２７】
色画像生成部７５は、後述する画質調整処理にて、スクリーンＳＣの色に応じた補正（壁色補正）を行うための色画像を生成する。具体的に、色画像生成部７５は、当該画質調整処理にて、検出手段２１によりスクリーンＳＣの色度を検出する際に表示手段６に表示させるＲ（赤）、Ｇ（緑）及びＢ（青）のそれぞれ１フレーム分の単色の色画像（以下、それぞれ「Ｒ画像」、「Ｇ画像」及び「Ｂ画像」という場合がある）を、フレームメモリ７４上に生成する。
【００２８】
駆動制御部７６は、主制御部７１による制御下で、フレームメモリ７４に記憶された画像に応じた駆動信号を出力して、当該画像を表示手段６により表示させる。また、駆動制御部７６は、表示手段６に制御信号を出力して、光源装置６１の点消灯を制御するほか、後述する画質調整部８１により選択されたカラーモードの設定情報に基づいて、当該光源装置６１の発光光量を制御する。
ここで、駆動制御部７６は、後述する画質調整処理におけるスクリーンＳＣの色度取得時には、前述の入力画像を構成するフレーム間に、色画像生成部７５により生成された色画像が表示されるように、当該各画像に応じた駆動信号を、表示手段６に出力する。
【００２９】
図３は、ＲＧＢの各色画像を表示する際の表示画像の遷移を示す図である。すなわち、図３（Ａ）〜（Ｃ）は、それぞれＲ画像、Ｇ画像及びＢ画像を表示する際の遷移を示す図である。
具体的に、図３（Ａ）に示すように、６０フレーム／秒で入力画像を表示する場合には、当該入力画像を構成するフレーム間（図３において「Ａ」と表記されたフレームＦＡと、「Ｂ」と表記されたフレームＦＢとの間）に前述の色画像のうちＲ画像ＰＲが表示されるように、当該Ｒ画像ＰＲに応じた駆動信号を、当該各フレームＦＡ，ＦＢに応じた駆動信号の間に挿入して出力する。この際、前述の光変調装置６２は、１２０フレーム／秒で駆動する。このようなＲ画像ＰＲに応じた駆動信号は複数回挿入されるので、当該Ｒ画像ＰＲは、例えば、フレームＦＡ，ＦＢの間、及び、他のフレーム間に複数回表示される。
【００３０】
Ｇ画像及びＢ画像を表示する場合でも、図３（Ｂ）及び（Ｃ）に示すように、ある２つのフレーム間（図３（Ｂ）に示すフレームＦＣ，ＦＤ間）にＧ画像ＰＧが表示され、また、他の２つのフレーム間（図３（Ｃ）に示すフレームＦＥ，ＦＦ間）にＢ画像ＰＢが表示されるように、駆動制御部７６は、当該Ｇ画像ＰＧ及びＢ画像ＰＢに応じた駆動信号を出力する。これらＧ画像ＰＧ及びＢ画像ＰＢも、前述のＲ画像ＰＲと同様に、複数のフレーム間で複数回表示される。
すなわち、後述する画質調整処理においては、駆動制御部７６及び表示手段６により、入力画像の２つのフレーム間に１フレーム分の各色画像ＰＲ，ＰＧ，ＰＢのうちのいずれかが表示され、これら色画像は、それぞれ複数回表示される。
なお、これらＲＧＢの各色画像ＰＲ，ＰＧ，ＰＢの表示順は、適宜設定してよい。
【００３１】
色度取得部７７は、検出手段２１により検出された色度のうち、色画像生成部７５により生成されたＲ画像、Ｇ画像及びＢ画像が表示された際の色度を取得する。この際、色度取得部７７は、複数回表示される各色画像のそれぞれの表示タイミングでの色度を取得し、当該各色画像の表示タイミングで取得された色度の平均値を算出する。そして、色度取得部７７は、これら各平均値（Ｒ画像表示時の平均値、Ｇ画像表示時の平均値及びＢ画像表示時の平均値）から、スクリーンＳＣの色度を算出して取得する。
【００３２】
ＡＰＬ取得部７８は、本発明の輝度取得手段に相当し、フレームメモリ７４上に生成された入力画像の平均輝度レベル（ＡＰＬ：Average Picture Level）を、フレームごとに取得する。なお、このＡＰＬ取得部７８により取得される平均輝度レベルは、後述する画質調整部８１による画質調整が行われていない１フレーム分の入力画像の平均輝度レベルである。
レベル判定部７９は、本発明の判定手段に相当し、ＡＰＬ取得部７８により取得された平均輝度レベルが所定のレベルより低いか否か、すなわち、表示される１フレーム分の画像の平均輝度レベルが所定のレベルより低いか否かを判定する。
【００３３】
照度取得部８０は、本発明の取得手段に相当し、ＡＰＬ取得部７８により取得された１フレーム分の画像の平均輝度レベルと、当該１フレーム分の画像が表示された際に検出手段２１により検出された照度とに基づいて、環境光の照度を算出及び取得する。
具体的に、照度取得部８０は、レベル判定部７９により、取得された平均輝度レベルが所定のレベルより低いと判定された場合に、当該平均輝度レベルが取得された１フレーム分の画像が表示された際の照度を、検出手段２１から取得する。このような平均輝度レベル及び照度の取得を、照度取得部８０は複数回行う。そして、これら各平均輝度レベル及び照度に基づいて、当該各平均輝度レベルと照度とが対応する近似曲線を生成し、平均輝度レベルが０である場合の照度（平均輝度レベルが最も低い場合の照度であり、表示手段６により画像を表示していないと見なせる照度）を演算して、環境光の照度として取得する。
【００３４】
画質調整部８１は、本発明の画質調整手段に相当する。この画質調整部８１は、色度取得部７７及び照度取得部８０により取得されたスクリーンＳＣの色度及び環境光の照度に基づいて、フレームメモリ７４上に生成された入力画像を補正して、表示手段６により表示される画像の画質を調整する。
具体的に、画質調整部８１は、当該環境光の照度に応じたカラーモードを記憶部８２から選択し、当該カラーモードに設定された設定情報に基づいて、入力画像の補正を行う。また、画質調整部８１は、当該スクリーンＳＣの色度に応じた色合い情報を記憶部８２から選択し、当該色合い情報に基づいて、入力画像の補正を行う。
【００３５】
例えば、環境光の照度が高い場合には、プロジェクタ１による投射光と環境光とが加法混色されるため、当該投射光により形成される画像は彩度が低下する。特に、画像における低階調領域は、環境光の影響を受けやすく、彩度低下が大きくなりやすい。
これに対し、画質調整部８１は、例えば、環境光の照度に応じたガンマ値を選択することにより、このような環境光の画像に対する影響を低減することができる。前述の例では、ガンマ値を小さくする（例えば、ガンマ値２．２からガンマ値１．０に変更する）ことで、低階調領域の彩度の低下、ひいては、画像の劣化を抑制することができる。
このような補正を画質調整部８１が行うことにより、環境光の照度に応じて、視認性の高い画像表示を行うことができるほか、スクリーンＳＣ等の投射面の色に応じて画像の色補正（壁色補正）が行われることで、色再現性の高い画像表示を行うことができる。
【００３６】
〔画質調整処理〕
図４は、プロジェクタ１による画像調整処理を示すフローチャートである。
プロジェクタ１は、電源投入時、及び、所定のタイミングで、以下に示す画質調整処理を行い、表示される画像の画質調整を行う。この画質調整処理は、記憶部８２に記憶された画質調整プログラムに沿って、主制御部７１が各機能部７２〜８０を機能させることで実行される。
この画質調整処理では、図４に示すように、まず、色画像生成部７５が、フレームメモリ７４上に、Ｒ画像、Ｇ画像及びＢ画像をそれぞれ生成する。そして、主制御部７１の制御の下、駆動制御部７６が、入力画像のそれぞれ異なるフレーム間に当該Ｒ画像、Ｇ画像及びＢ画像が、それぞれ挿入されるように、ＲＧＢの各色画像を表示手段６に表示させる（ステップＳ０１）。このステップＳ０１は、Ｒ画像、Ｇ画像及びＢ画像ごとに、複数回行われる。
【００３７】
この後、検出手段２１が、ＲＧＢ画像のそれぞれの表示時のスクリーンＳＣにおける投射領域内の色度を検出し、色度取得部７７が、当該色度を取得する（ステップＳ０２）。この際、色度取得部７７は、前述のように、各ＲＧＢ画像表示時の色度の平均値を算出し、当該平均値に基づいて、スクリーンＳＣの色度を算出及び取得する。
【００３８】
そして、画質調整部８１が、取得されたスクリーンＳＣの色度に基づいて、フレームメモリ７４上に生成された入力画像を補正する（ステップＳ０３）。この際、画質調整部８１は、前述のように、当該スクリーンＳＣの色度に応じた色合い情報を記憶部８２から選択し、当該色合い情報に基づいて、入力画像を補正する。
このように補正された入力画像に応じた駆動信号が、駆動制御部７６により表示手段６に出力されることで、当該表示手段６が、スクリーンＳＣの色度に応じて画質補正がなされた入力画像が表示される。すなわち、当該ステップＳ０３が、本発明の表示手順及び表示ステップに相当する。
【００３９】
この後、ＡＰＬ取得部７８が、入力画像の平均輝度レベルを算出及び取得する（ステップＳ０４）。このステップＳ０４が、本発明の輝度取得手順及び輝度取得ステップに相当する。
そして、レベル判定部７９が、当該平均輝度レベルが所定のレベル（例えば、５０％の輝度レベル）より低いか否かを判定する（ステップＳ０５）。
ここで、所定のレベル以上であると判定された場合には、制御手段７は、当該平均輝度レベルが所定のレベルより低くなるまで、ステップＳ０４，Ｓ０５を繰り返す。
一方、所定のレベルより低いと判定された場合には、照度取得部８０は、当該平均輝度レベルを有する１フレーム分の入力画像が表示された際の照度を、検出手段２１から取得する（ステップＳ０６）。
【００４０】
この後、照度取得部８０は、ステップＳ０６での照度の取得を所定回数（例えば、５回）行ったか否かを判定する（ステップＳ０７）。
ここで、所定回数行っていないと判定されると、制御手段７は、ステップＳ０４に戻り、更なる照度の取得に備える。
一方、所定回数行ったと判定されると、照度取得部８０は、取得された平均輝度レベル及び照度から、平均輝度レベルが０である場合の照度を演算し、当該照度を環境光の照度として取得する（ステップＳ０８）。このステップＳ０８が、本発明の照度取得手順及び照度取得ステップに相当する。
【００４１】
そして、画質調整部８１が、ステップＳ０８にて取得された環境光の照度に基づいて、前述のように、記憶部８２からカラーモードを選択し、当該カラーモードの設定情報に基づいて、前述のステップＳ０３での補正とともに、フレームメモリ７４上に生成された入力画像の画質を調整する（ステップＳ０９）。
このように画質調整がなされた入力画像に応じた駆動信号、及び、光源装置６１の発光光量を制御する制御信号が、駆動制御部７６により表示手段６に出力されることにより、補正された当該入力画像が表示手段６により表示される。
【００４２】
以上説明した本実施形態のプロジェクタ１によれば、以下の効果がある。
照度取得部８０は、ＡＰＬ取得部７８により取得された各フレームの平均輝度レベル、及び、当該各フレームに応じた画像が表示された際に検出手段２１により検出された照度に基づいて、平均輝度レベルが０である場合の照度、すなわち、画像表示が行われていない場合の照度を演算して、当該照度を環境光の照度として取得する。これによれば、実際に検出手段２１により検出された照度を環境光の照度として取得する場合に比べ、表示手段６により表示される画像の光の影響を低減することができ、実際の環境光の照度に近い照度を取得することができる。この際、表示される画像は入力画像であるので、所望の画像の表示が中断されることなく、環境光の照度を取得することができる。従って、環境光をより適切に取得することができるほか、プロジェクタ１の利便性を向上できる。
【００４３】
検出手段２１が、投射面における投射光学装置６３の画像投射領域の照度を検出するので、プロジェクタ１の位置と、スクリーンＳＣの位置とが離れていても、当該投射領域に照射される照度を検出することができる。従って、画像の視認性に影響する照明光等の光（環境光）の照度を、視環境に応じて適切に取得することができる。
【００４４】
照度取得部８０は、表示手段６により表示される画像（フレーム）の平均輝度レベルが低いと判定された際に、検出手段２１により検出された照度を取得し、これら平均輝度レベル及び照度に基づいて、環境光の照度を演算する。これによれば、投射光学装置６３によって投射され、検出手段２１により検出される光の影響を一層低減することができる。従って、画像が投射されていない状態に近い照度を検出することができ、環境光の照度をより適切に取得することができるほか、当該環境光の照度の精度及び信頼性を向上することができる。
【００４５】
照度取得部８０は、各フレームの平均輝度レベル、及び、当該各フレームが表示された際の照度に基づいて、環境光の照度を演算して取得するので、当該平均輝度レベル及び照度が対応する近似曲線を精度よく生成することができる。従って、平均輝度レベルが０である場合の照度、すなわち、環境光の照度をより正確に取得することができる。
また、このように取得された環境光の照度に基づいて、画質調整部８１が、表示される入力画像の画質調整を行うことにより、視環境に応じた画像表示を行うことができる。従って、より視認しやすい画像を表示することができる。
【００４６】
〔実施形態の変形〕
本発明は前述の実施形態に限定されるものではなく、本発明の目的を達成できる範囲での変形、改良等は本発明に含まれるものである。
前記実施形態では、画質調整処理のステップＳ０１〜Ｓ０３にて、ＲＧＢの各色画像を表示して、スクリーンＳＣの色度を取得し、当該色度に応じた壁色補正を行うとしたが、本発明はこれに限らない。すなわち、前述のステップＳ０１，Ｓ０２を省略して、当該スクリーンＳＣの色度に応じた壁色補正は行わずに、ステップＳ０３にて、入力画像を表示するようにしてもよい。
【００４７】
前記実施形態では、平均輝度レベルが所定のレベルより低い場合に、当該平均輝度レベルを有するフレームが表示された際の照度を検出手段２１が検出して、当該照度を照度取得部８０が取得するとしたが、本発明はこれに限らない。すなわち、平均輝度レベルの高低に関らず、当該平均輝度レベル及び照度に基づいて、環境光の照度を演算により取得するようにしてもよい。
【００４８】
前記実施形態では、複数のフレームから取得される複数の平均輝度レベルと、当該各フレームが表示された際に検出手段２１により検出された照度とに基づいて、環境光の照度を演算により取得するとしたが、本発明はこれに限らない。すなわち、それぞれ対応する少なくとも１つの平均輝度レベル及び照度に基づいて、環境光の照度を取得するようにしてもよい。このような場合、平均輝度レベルと、検出手段により検出される照度と、予め測定された実際の環境光の照度とが関連付けられたＬＵＴ（Lookup Table）を記憶部が記憶していれば、当該ＬＵＴを参照することで、より正確に環境光の照度を取得することができる。
【００４９】
前記実施形態では、本発明の照度取得プログラムを含み、かつ、画質調整処理をプロジェクタ１が実行するための画質調整プログラムは、記憶部８２に記憶されているとしたが、本発明はこれに限らない。例えば、当該プログラムが、ＣＤ及びＤＶＤ等のディスク型記録媒体、並びに、ＨＤＤ（Hard Disk Drive）等の磁気ディスク装置等に記憶され、画質調整処理を実行する際に、プロジェクタ１が当該プログラムを適宜読み出すように構成してもよい。
【００５０】
前記実施形態では、画像表示装置として、スクリーンＳＣに対する画像光の投射方向と、当該画像光に係る画像の観察方向とが略同じであるフロントタイプのプロジェクタ１を例示したが、本発明はこれに限らない。例えば、投射方向と観察方向とがそれぞれ反対方向となるリアタイプのプロジェクタにも本発明を適用できる。また、液晶、プラズマ、有機ＥＬ（electroluminescence）及びＣＲＴ（Cathode Ray Tube）等のディスプレイに本発明を採用することも可能である。これらリアタイプのプロジェクタ及び各種ディスプレイにおいても、表示される画像の光が、取得しようとする環境光の照度に影響を与えるが、本発明を採用することにより、当該影響を低減することができる。
【産業上の利用可能性】
【００５１】
本発明は、画像表示装置に利用でき、特に、投射面上に画像を投射するプロジェクタに好適に利用することができる。
【図面の簡単な説明】
【００５２】
【図１】本発明の一実施形態に係るプロジェクタを示す概要斜視図。
【図２】前記実施形態におけるプロジェクタの構成を示すブロック図。
【図３】前記実施形態における色画像を表示する際の表示画像の遷移を示す図。
【図４】前記実施形態における画質調整処理を示すフローチャート。
【符号の説明】
【００５３】
１…プロジェクタ（画像表示装置）、６…表示手段、２１…検出手段、６３…投射光学装置、７８…ＡＰＬ取得部（輝度取得手段）、７９…レベル判定部（判定手段）、８０…照度取得部（取得手段）、８１…画質調整部（画質調整手段）。
【図１】
2010113009.tif 000003
【図２】
2010113009.tif 000004
【図３】
2010113009.tif 000005
【図４】
2010113009.tif 000006